(57)【要約】【課題】傾斜が異なる場所に設置する場合でも、太陽電池セルの受光面を所望の角度に傾斜させることができる太陽電池モジュールを提供する。【解決手段】太陽電池モジュールＡにおいて、太陽電池セル５と、太陽電池セル５が搭載されるセル搭載部４と、セル搭載部４が収納されるケース１と、セル搭載部４をケース１に対して回動可能に支持する支持軸３とを備えるようにした。セル搭載部４は、おもり４３によって水平面４１ｂを水平に維持し、固定面４１ｃに太陽電池セル５の受光面５ａの反対側の面を固定している。水平面４１ｂと固定面４１ｃとがなす角度を所定の角度θとすることで、太陽電池セル５の受光面５ａが水平に対して所定の角度θとなる状態を維持する。【選択図】図３
2014165387.tif 000002
【特許請求の範囲】
【請求項１】
太陽電池セルと、
前記太陽電池セルが搭載されるセル搭載手段と、
前記セル搭載手段が収納されるケースと、
前記セル搭載手段を前記ケースに対して回動可能に支持する支持軸と、
を備えており、
前記セル搭載手段は、前記太陽電池セルの受光面が水平に対して所定の角度となる状態を維持する、
ことを特徴とする太陽電池モジュール。
【請求項２】
前記セル搭載手段は、水平に維持される水平面を有する角度調整手段を備えており、
前記太陽電池セルの受光面と前記水平面とは、前記所定の角度で固定されている、
請求項１に記載の太陽電池モジュール。
【請求項３】
前記角度調整手段は、前記水平面を有する水平板と、前記太陽電池セルが固定される固定板とを備えており、
前記水平板と前記固定板とがなす角度が前記所定の角度である、
請求項２に記載の太陽電池モジュール。
【請求項４】
前記角度調整手段は、前記所定の角度を変更する角度変更手段をさらに備えている、
請求項３に記載の太陽電池モジュール。
【請求項５】
前記角度変更手段は、太陽の南中高度に応じて前記所定の角度を変更する、
請求項４に記載の太陽電池モジュール。
【請求項６】
前記角度調整手段は、前記太陽電池セルが固定される固定面を備えており、
前記水平面と前記固定面とがなす角度が前記所定の角度である、
請求項２に記載の太陽電池モジュール。
【請求項７】
前記セル搭載手段は、前記角度調整手段の水平面を水平に維持するための、前記角度調整手段に固定されたおもりを、さらに備えている。
請求項２ないし６のいずれかに記載の太陽電池モジュール。
【請求項８】
前記ケース内部には流動体があり、
前記セル搭載手段が前記流動体上に浮揚することで、前記角度調整手段の水平面が水平に維持される、
請求項２ないし６のいずれかに記載の太陽電池モジュール。
【発明の詳細な説明】
【技術分野】
【０００１】
本発明は、太陽光を電気エネルギーに変換する太陽電池セルを備えた太陽電池モジュールに関する。
【背景技術】
【０００２】
太陽電池セルの出力は太陽光の入射光量に左右されるので、太陽電池セルの受光面ができるだけ入射光に対して垂直になるのが望ましい。太陽の方向は、緯度や季節、時間によって異なる。日本においては、太陽電池モジュール（太陽電池パネル）の受光面を水平に対して３０°程度傾斜させて設置することが一般的になっている。太陽電池モジュールを所定の角度に傾斜させるために、太陽電池モジュールを設置するための架台が必要になる。架台は、強風や振動などに十分耐えうる強度が必要とされる。傾斜角度を大きくするほど風の影響を受けやすいので、架台の強度をより高くする必要があり、架台のためのコストが大きくなる。
【０００３】
架台を必要としない太陽電池モジュールとして、断面が鋸歯形状の基盤の斜面に太陽電池セルを形成する太陽電池モジュールが提案されている（特許文献１参照）。斜面の傾斜角度を所定の角度にしておけば、太陽電池モジュールを水平に設置したときに、太陽電池セルの受光面を所定の角度だけ傾斜させることができる。したがって、架台を用いて太陽電池モジュールを傾斜させる必要がない。
【先行技術文献】
【特許文献】
【０００４】
【特許文献１】特許第２８８１４９６号公報
【発明の概要】
【発明が解決しようとする課題】
【０００５】
しかしながら、特許文献１に記載の太陽電池モジュールの場合、製造後に斜面の傾斜角度を変更することはできないので、太陽電池モジュールを水平に設置できない場合などに問題が生じる。例えば、斜面の傾斜角度を３０°としていた場合に南北に１０°の傾斜がある土地にそのまま設置すると、太陽電池セルの受光面は２０°（または４０°）傾斜させることになる。この場合は、太陽電池セルの受光面の傾斜角度を３０°にするためには、架台を用いて太陽電池モジュールを傾斜させる必要がある。また、太陽電池モジュールを水平に設置したとしても、地盤沈下などにより傾斜する場合がある。この場合に対応するためには、太陽電池モジュールを水平に保つための設備が必要になる。
【０００６】
本発明は上記した事情のもとで考え出されたものであって、傾斜が異なる場所に設置する場合でも、太陽電池セルの受光面を所望の角度に傾斜させることができる太陽電池モジュールを提供することをその目的としている。
【課題を解決するための手段】
【０００７】
上記課題を解決するため、本発明では、次の技術的手段を講じている。
【０００８】
本発明の第１の側面によって提供される太陽電池モジュールは、太陽電池セルと、前記太陽電池セルが搭載されるセル搭載手段と、前記セル搭載手段が収納されるケースと、前記セル搭載手段を前記ケースに対して回動可能に支持する支持軸とを備えており、前記セル搭載手段は、前記太陽電池セルの受光面が水平に対して所定の角度となる状態を維持することを特徴とする。
【０００９】
本発明の好ましい実施の形態においては、前記セル搭載手段は、水平に維持される水平面を有する角度調整手段を備えており、前記太陽電池セルの受光面と前記水平面とは、前記所定の角度で固定されている。
【００１０】
本発明の好ましい実施の形態においては、前記角度調整手段は、前記水平面を有する水平板と、前記太陽電池セルが固定される固定板とを備えており、前記水平板と前記固定板とがなす角度が前記所定の角度である。
【００１１】
本発明の好ましい実施の形態においては、前記角度調整手段は、前記所定の角度を変更する角度変更手段をさらに備えている。
【００１２】
本発明の好ましい実施の形態においては、前記角度変更手段は、太陽の南中高度に応じて前記所定の角度を変更する。
【００１３】
本発明の好ましい実施の形態においては、前記角度調整手段は、前記太陽電池セルが固定される固定面を備えており、前記水平面と前記固定面とがなす角度が前記所定の角度である。
【００１４】
本発明の好ましい実施の形態においては、前記セル搭載手段は、前記角度調整手段の水平面を水平に維持するための、前記角度調整手段に固定されたおもりを、さらに備えている。
【００１５】
本発明の好ましい実施の形態においては、前記ケース内部には流動体があり、前記セル搭載手段が前記流動体上に浮揚することで、前記角度調整手段の水平面が水平に維持される。
【発明の効果】
【００１６】
本発明によると、太陽電池セルが搭載されたセル搭載手段が、太陽電池セルの受光面が水平に対して所定の角度となる状態を維持するように、ケースに対して回動する。したがって、ケースがどのような角度に傾斜されたとしても、太陽電池セルの受光面を所望の角度に傾斜させることができる。
【００１７】
本発明のその他の特徴および利点は、添付図面を参照して以下に行う詳細な説明によって、より明らかとなろう。
【図面の簡単な説明】
【００１８】
【図１】第１実施形態に係る太陽電池モジュールを説明するための図である。
【図２】第１実施形態に係る太陽電池モジュールを説明するための図であり、図１のＩＩ−ＩＩ線視断面図である。
【図３】第１実施形態に係る太陽電池モジュールを説明するための図であり、図１のＩＩＩ−ＩＩＩ線視断面図である。
【図４】第１実施形態に係る太陽電池モジュールを斜面に設置した状態を説明するための図である。
【図５】第１実施形態に係る太陽電池モジュールを壁面に設置した状態を説明するための図である。
【図６】第１実施形態に係るケースおよび蓋の他の実施例を説明するための図である。
【図７】第１実施形態に係るセル搭載部の他の実施例を説明するための図である。
【図８】第１実施形態に係るセル搭載部の他の実施例を説明するための図である。
【図９】第１実施形態に係るセル搭載部の他の実施例を説明するための図である。
【図１０】第２実施形態に係る太陽電池モジュールを説明するための図である。
【図１１】第２実施形態に係る太陽電池モジュールを斜面に設置した状態を説明するための図である。
【発明を実施するための形態】
【００１９】
以下、本発明の実施の形態を、図面を参照して具体的に説明する。
【００２０】
図１ないし図３は、第１実施形態に係る太陽電池モジュールを説明するための図である。図１は平面図であり、図２は図１のＩＩ−ＩＩ線視断面図であり、図３は図１のＩＩＩ−ＩＩＩ線視断面図である。
【００２１】
太陽電池モジュールＡは、太陽光を電気エネルギーに変換することで発電を行うものである。太陽電池モジュールＡは、ケース１、蓋２、支持軸３、セル搭載部４、および太陽電池セル５を備えている。なお、実際には、太陽電池モジュールＡは、各太陽電池セル５を接続するための配線などを備えているが、図示を省略している。
【００２２】
ケース１は、アルミなどの金属製の箱であり、内部にセル搭載部４を収納するものである。なお、ケース１の材質は限定されず、ある程度の強度を保てるものであればよい。また、ケース１の形状も限定されない。蓋２は、ケース１の開口部をふさぐものである。蓋２は、太陽光を通過させる必要があるので、例えば、透明なガラス板を用いている。なお、蓋２の材質は限定されず、透明プラスチックなどの太陽光を通過させるものであればよい。支持軸３は、セル搭載部４を回動可能に支持するものである。支持軸３は、ケース１の開放面に平行にケース１に固定されている。また、支持軸３は、所定の間隔を空けて、互いに平行になるように複数設けられている。なお、支持軸３がセル搭載部４に固定され、支持軸３がケース１に対して回動可能になっていてもよい。以下の説明では、支持軸３の軸方向をｘ軸方向（図１参照）、支持軸３が並ぶ方向をｙ軸方向、ケース１の開放面の方向をｚ軸方向（図２参照）とする。
【００２３】
セル搭載部４は、太陽電池セル５を搭載し、支持軸３に支持されて回動するものである。セル搭載部４は、角度調整部４１、おもり固定部４２、および、おもり４３を備えている。
【００２４】
角度調整部４１は、略三角柱形状のプラスチック成形品である。角度調整部４１の軸方向（略三角柱の軸方向）には貫通孔４１ａが穿たれている。貫通孔４１ａには支持軸３が挿通されており、これにより、セル搭載部４は支持軸３を中心に回動可能になっている。角度調整部４１の軸方向に平行な３つの側面の内の水平面４１ｂ（図３参照）には、おもり固定部４２を介して、おもり４３が取り付けられている。おもり４３は、貫通孔４１ａの位置から水平面４１ｂに直交するように伸ばした直線上に配置されており、水平面４１ｂが常に水平になるように構成されている。また、本実施形態では、おもり４３は、角度調整部４１の軸方向の中心に１つだけ取り付けられている（図２参照）。なお、取り付けられるおもり４３の数は限定されない。また、角度調整部４１の３つの側面の内の固定面４１ｃ（図３参照）には、太陽電池セル５が受光面５ａとは反対側の面で固定される。水平面４１ｂと固定面４１ｃとがなす角度は、使用される地域の緯度などに応じた所定の角度θになっている。例えば、日本で使用される場合には、θ＝３０°になっているが、これに限定されない。なお、角度調整部４１、おもり固定部４２、および、おもり４３の材質は限定されない。また、角度調整部４１、おもり固定部４２、および、おもり４３の形状は限定されないが、セル搭載部４が支持軸３の周りを回動しても、ケース１や蓋２に接触しない形状にする必要がある。
【００２５】
太陽電池セル５は、受光面５ａに入射される太陽光を電気エネルギーに変換するものである。太陽電池セル５の種類や構造は限定されない。太陽電池セル５は、受光面５ａとは反対側の面で、角度調整部４１の固定面４１ｃに固定されている。セル搭載部４には、複数の太陽電池セル５が搭載されており、これらの太陽電池セル５は直列接続されている。また、各セル搭載部４に搭載されている直列接続された太陽電池セル５は、並列接続されている。なお、各太陽電池セル５の接続方法は、これに限定されない。例えば、すべての太陽電池セル５を直列接続したり、複数のセル搭載部４に搭載されている太陽電池セル５を直列接続し、これらの直列接続されたものを並列接続するようにしてもよい。また、セル搭載部４に搭載される太陽電池セル５の数や、太陽電池モジュールＡに設けられるセル搭載部４の数も限定されない。太陽電池モジュールＡが出力する電力や電圧に応じて適宜設計すればよい。なお、本実施形態では、板状の太陽電池セル５を角度調整部４１の固定面４１ｃに固定する場合について説明したが、これに限られない。角度調整部４１の固定面４１ｃに電極や半導体を直接積層して、太陽電池セル５を構成するようにしてもよい。
【００２６】
次に、太陽電池モジュールＡを設置する方法について説明する。
【００２７】
太陽電池モジュールＡは、Ｙ軸の正の方向（図１においては、図の上方向）が北を向き、Ｘ軸の正の方向（図１においては図の右方向）が東を向くようにして設置される。これにより、太陽電池セル５の受光面５ａが、Ｙ軸の負の方向（図３においては、図の左方向）、すなわち、南の方を向くようになるので、太陽光を受光しやすくなる。また、図３に示すように、受光面５ａは、水平に対して、所定の角度θだけ傾斜している。したがって、受光面５ａが太陽光を垂直に受光できる時間が長くなり、発電効率が良くなる。太陽電池モジュールＡは、ケース１が水平になるように設置する必要はなく、ケース１が水平に対して傾斜した状態で設置してもよい。
【００２８】
図４は、太陽電池モジュールＡを斜面に設置した状態を説明するための図である。なお、各図は、それぞれ図３に対応する図である。
【００２９】
同図（ａ）は、太陽電池モジュールＡを南北方向に角度αだけ傾斜（北側が高い）した斜面に設置した状態を示している。図に示すように、ケース１が水平に対して角度αだけ傾斜しているが、水平面４１ｂは、おもり４３によって水平に維持されている。水平面４１ｂと固定面４１ｃとがなす角度は所定の角度θなので、固定面４１ｃは、水平に対して角度θだけ傾いた状態になる。したがって、固定面４１ｃに固定されている太陽電池セル５の受光面５ａは、水平に対して所定の角度θだけ傾いた状態になる。
【００３０】
同図（ｂ）は、太陽電池モジュールＡを南北方向に角度βだけ傾斜（南側が高い）した斜面に設置した状態を示している。図に示すように、ケース１が水平に対して角度βだけ傾斜しているが、水平面４１ｂは、おもり４３によって水平に維持されている。したがって、同図（ａ）の場合と同様に、太陽電池セル５の受光面５ａは、水平に対して所定の角度θだけ傾いた状態になる。
【００３１】
同図（ｃ）は、太陽電池モジュールＡを南北方向に角度γだけ大きく傾斜（北側が高い）した斜面に設置した状態を示している。図に示すように、ケース１が水平に対して角度γだけ傾斜しているが、水平面４１ｂは、おもり４３によって水平に維持されている。したがって、同図（ａ）の場合と同様に、太陽電池セル５の受光面５ａは、水平に対して所定の角度θだけ傾いた状態になる。
【００３２】
また、太陽電池モジュールＡは、壁面に設置することもできる。図５は、太陽電池モジュールＡを壁面に設置した状態を説明するための図である。なお、図５は、図３に対応する図である。
【００３３】
同図は、太陽電池モジュールＡを壁面に設置した状態を示している。図に示すように、ケース１の底面（図５においては、図の右側の面）が壁面に固定されている。この場合でも、水平面４１ｂは、おもり４３によって水平に維持されている。水平面４１ｂと固定面４１ｃとがなす角度は所定の角度θなので、固定面４１ｃは、水平に対して角度θだけ傾いた状態になる。したがって、固定面４１ｃに固定されている太陽電池セル５の受光面５ａは、水平に対して所定の角度θだけ傾いた状態になる。
【００３４】
なお、太陽電池モジュールＡは、設置面に直接固定するようにしてもよいし、設置面に取付用の部材を固定し、当該取付用の部材に固定するようにしてもよい。また、設置面から少し離した位置に設置するために架台を設置して、当該架台に固定するようにしてもよい。
【００３５】
本実施形態において、角度調整部４１の水平面４１ｂは、おもり４３によって常に水平に維持されている。水平面４１ｂと固定面４１ｃとがなす角度は所定の角度θなので、固定面４１ｃは、水平に対して常に角度θだけ傾いた状態になる。したがって、固定面４１ｃに固定されている太陽電池セル５の受光面５ａは、水平に対して常に角度θだけ傾いた状態になる。これにより、どのような傾斜の場所に設置した場合でも、太陽電池セル５の受光面５ａを、水平に対して角度θだけ傾けた状態にすることができる。
【００３６】
したがって、太陽電池モジュールＡは、どのような傾斜の場所に設置する場合でも、傾斜させるための架台を必要とせず、設置面に直接または間接的に固定することができる。また、設置面から少し離した位置に設置するために架台を用いる場合でも、太陽電池モジュールＡを傾けて設置する必要はない。したがって、傾けて設置した場合より風の影響を受けにくいので、用意する架台の強度を従来よりも低く抑えることができる。また、傾斜の異なる複数の設置面に設置する場合でも、設置面毎に異なるものを用意する必要がないし、設置面毎に調整する必要もない。したがって、設置作業の効率が良くなる。特に、足場の悪い設置面（例えば、屋根の上など）に設置する場合には、設置時の調整が不要になることで作業時間が短縮し、設置作業の安全性が高まる。
【００３７】
また、太陽電池モジュールＡを設置した後に地盤沈下が生じて、設置された地面が傾いた場合でも、太陽電池セル５の受光面５ａが水平に対してなす角度を維持することができる。
【００３８】
なお、本実施形態では、箱形のケース１の開口部を板状の蓋２でふさぐ場合について説明したが、これに限られない。箱形のケース１と箱形の蓋２とを、それぞれの開口部を合わせるようにしてもよい（図６（ａ）参照）し、箱形の蓋２の開口部を板状のケース１でふさぐようにしてもよい（図６（ｂ）参照）。これらの場合、ケース１によって遮光される部分が少なくなるので、発電効率が良くなる。特に、Ｙ軸の負の方向（図においては左側方向）の端に位置するセル搭載部４に搭載された太陽電池セル５において、ケース１による遮光が減少する。また、図３に示す太陽電池モジュールＡのケース１のうち、Ｙ軸方向に位置する２つの側面（または、Ｙ軸の負の方向に位置する側面）だけを透明にしてもよい。また、ケース１のＹ軸の負の方向の端部に空間を設け、ケース１による遮光の影響を抑制するようにしてもよい（図６（ｃ）参照）。なお、図６（ａ）〜（ｃ）は、図３に対応する図である。
【００３９】
本実施形態においては、角度調整部４１の水平面４１ｂに、おもり固定部４２を介して、おもり４３を取り付ける場合について説明したが、これに限られない。例えば、図７（ａ）に記載のセル搭載部４のように、水平面４１ｂにおもり４３’を直接取り付けるようにしてもよい。水平面４１ｂが常に水平になるように構成されていればよい。なお、図７（ａ）は、図３と同様に、セル搭載部４をＸ軸の正の方向から見た状態を示している。以下の図７（ｂ）、（ｃ）、図８、および図９についても同様である。
【００４０】
本実施形態においては、角度調整部４１が略三角柱形状である場合について説明したが、これに限られない。例えば、図７（ｂ）に記載のセル搭載部４のように、２枚の板を接合した断面Ｖ字形状の角度調整部４１’を用いるようにしてもよい。この場合、接合部における２枚の板がなす角度を所定の角度θとすればよい。また、図７（ｃ）に記載のセル搭載部４のように、おもり４３を取り付けるための水平板４１１と、太陽電池セル５を固定するための固定板４１２とが、所定の角度θをなすように固定されたものを、角度調整部４１の代わりに用いるようにしてもよい。固定面４１ｃが水平面４１ｂに対して常に所定の角度θを維持するように構成されていればよい。なお、固定板４１２を設けずに、水平板４１１と太陽電池セル５とが、所定の角度θをなすように固定されるようにしてもよい。
【００４１】
また、固定面４１ｃが水平に対して常に所定の角度θを維持するように構成されていればよいので、角度調整部４１に水平面４１ｂがなくてもよい。例えば、図８のように、角度調整部４１を略四角柱形状として、固定面４１ｃが水平（同図において、破線で示している。）に対して常に所定の角度θを維持するように、おもり固定部４２を介して、おもり４３を取り付けるようにしてもよい。すなわち、セル搭載部４をＸ軸の正方向から見た場合（図８参照）に、セル搭載部４全体の重心Ｇと貫通孔４１ａとを結ぶ直線が固定面４１ｃとなす角度が（９０°−θ）になるように、おもり４３の位置を調整すればよい。
【００４２】
図９は、図７（ｃ）に示すセル搭載部４において、水平板４１１と固定板４１２とがなす角度を変更できるようにしたものである。すなわち、水平板４１１と固定板４１２との固定部分を、例えば蝶番構造とし、水平板４１１に設けられたガイド部４４を固定板４１２に取り付けた可動部４５が図の破線矢印方向に移動して、ロック部４６で固定できるようにしている。この場合、水平板４１１と固定板４１２とがなす角度を変更することができる。したがって、緯度が異なる地域で用いる場合など、所定の角度θを変更する場合に、ガイド部４４における可動部４５の位置を調整して固定することで、水平板４１１と固定板４１２とがなす角度を所定の角度θに変更することができる。なお、水平板４１１と固定板４１２とがなす角度を変更する方法は、限定されない。
【００４３】
さらに、図９に示すセル搭載部４において、可動部４５のガイド部４４における固定位置を、季節や日付によって自動で変更できるようにしてもよい。例えば、可動部４５にガイド部４４を移動するための駆動機構を設け、季節や日時に対応したガイド部４４上の位置（または、所定の角度θ）をメモリから読み出して、対応する位置に可動部４５を移動させればよい。太陽の南中高度に応じて可動部４５の固定位置を自動で変更することで、所定の角度θを自動で変更し、太陽電池セル５の受光面５ａができるだけ太陽光を垂直に受光できるようにすれば、発電効率をより良くすることができる。
【００４４】
上記第１実施形態においては、おもり４３（４３’）を用いて水平面４１ｂが水平になるようにしているが、これに限られない。例えば、角度調整部４１を絶縁油などの流動体に浮かべるようにして、水平面４１ｂを水平にするようにしてもよい。この場合を、第２実施形態として、以下に説明する。
【００４５】
図１０は、第２実施形態に係る太陽電池モジュールを説明するための図であり、図３に対応する図である。図１０において、第１実施形態に係る太陽電池モジュールＡ(図３参照）と同一または類似の要素には、同一の符号を付している。
【００４６】
太陽電池モジュールＡ’は、おもり４３によって水平面４１ｂを水平にする代わりに、角度調整部４１を絶縁油に浮かべるようにして、水平面４１ｂを水平にする点で、第１実施形態に係る太陽電池モジュールＡと異なる。
【００４７】
ケース１’は、内側に、Ｘ軸方向の壁が設けられており、各セル搭載部４’を収納する空間に分けられている。各空間には絶縁油６が入れられており、各セル搭載部４’が絶縁油６の上に浮いている状態になっている。各空間の絶縁油６の表面が水平になるので、角度調整部４１の水平面４１ｂも水平になる。水平面４１ｂと固定面４１ｃとがなす角度は所定の角度θなので、固定面４１ｃは、水平に対して角度θだけ傾いた状態になる。したがって、固定面４１ｃに固定されている太陽電池セル５の受光面５ａは、水平に対して所定の角度θだけ傾いた状態になる。なお、各空間に入れられる流動体は絶縁油６に限定されず、太陽電池セル５や接続線を完全に絶縁された状態にできるのであれば、水などの他の液体にしてもよい。また、液体に限定されず、例えば、細かい砂やプラスチックの微粉末などの流動体であってもよい。ケース１’を傾けたときに表面が水平になるものであればよい。
【００４８】
図１１は、太陽電池モジュールＡ’を斜面に設置した状態を説明するための図である。なお、各図は、それぞれ図３に対応する図である。
【００４９】
同図（ａ）は、太陽電池モジュールＡ’を南北方向に角度αだけ傾斜（北側が高い）した斜面に設置した状態を示している。図に示すように、ケース１’が水平に対して角度αだけ傾斜しているが、絶縁油６によって、水平面４１ｂは水平に維持されている。したがって、太陽電池セル５の受光面５ａは、水平に対して所定の角度θだけ傾いた状態になる。
【００５０】
同図（ｂ）は、太陽電池モジュールＡ’を南北方向に角度βだけ傾斜（南側が高い）した斜面に設置した状態を示している。図に示すように、ケース１’が水平に対して角度βだけ傾斜しているが、絶縁油６によって、水平面４１ｂは水平に維持されている。したがって、太陽電池セル５の受光面５ａは、水平に対して所定の角度θだけ傾いた状態になる。
【００５１】
第２実施形態においても、第１実施形態と同様に、どのような傾斜の場所に設置した場合でも、太陽電池セル５の受光面５ａを、水平に対して角度θだけ傾けた状態にすることができる。したがって、第１実施形態の場合と同様の効果を奏することができる。
【００５２】
本発明に係る太陽電池モジュールは、上述した実施形態に限定されるものではない。本発明に係る太陽電池モジュールの各部の具体的な構成は、種々に設計変更自在である。
【符号の説明】
【００５３】
Ａ，Ａ’  太陽電池モジュール
１，１’  ケース
２  蓋
３  支持軸
４，４’  セル搭載部
４１，４１’  角度調整部
４１ａ  貫通孔
４１ｂ  水平面
４１ｃ  固定面
４１１  水平板
４１２  固定板
４２  おもり固定部
４３，４３’  おもり
４４  ガイド部（角度変更手段）
４５  可動部（角度変更手段）
４６  ロック部（角度変更手段）
５  太陽電池セル
６  絶縁油（流動体）
【図１】
2014165387.tif 000003
【図２】
2014165387.tif 000004
【図３】
2014165387.tif 000005
【図４】
2014165387.tif 000006
【図５】
2014165387.tif 000007
【図６】
2014165387.tif 000008
【図７】
2014165387.tif 000009
【図８】
2014165387.tif 000010
【図９】
2014165387.tif 000011
【図１０】
2014165387.tif 000012
【図１１】
2014165387.tif 000013